(57)【特許請求の範囲】
【請求項１】
本体に装着し該本体に設けた付属部を覆うカバーにおいて、カバーを取外す手段であって、カバーに設けた嵌合爪と本体に設けた嵌合孔により、カバーは本体と嵌合して装着され、その嵌合部を嵌合した状態でカバーから分離することにより取外すことが可能となることを特徴とするカバーの取外手段。
【請求項２】
請求項１記載の取外手段において、本体はスイッチであるとともに、本体に設けた付属部はコネクタ接続部であることを特徴とするカバーの取外手段。
【請求項３】
請求項１または２記載の取外手段を備えたことを特徴とするカバー。
【請求項４】
請求項３記載のカバーにおいて、前記カバーは一方が開口した略筒状であって、底面の内側に嵌合爪を形成するとともに、底面にスリット及び結合部を形成することにより嵌合爪を備えた嵌合部を形設したことを特徴とするカバー。
【請求項５】
請求項４記載のカバーにおいて、嵌合部を押さえながら胴体部を抜脱方向に移動させ、底面に形成した結合部を切断することで、嵌合部をカバーからを分離させることを特徴とするカバー。
【請求項６】
請求項３記載のカバーにおいて、前記カバーは一方が開口した略筒状であって、スリットを形成した底面の内側に嵌合爪を形成するとともに、底面外側のスリット上に爪部を形成することにより嵌合爪を備えた嵌合部を形設し、爪部を倒すことでカバーから嵌合部を分離させることを特徴とするカバー。
【請求項７】
請求項３記載のカバーにおいて、前記カバーは一方が開口した略筒状であって、略円形状の薄肉部を形成した底面の内側に嵌合爪を形成するとともに、底面外側の薄肉部上に突起部を形成することにより嵌合爪を備えた嵌合部を形設し、突起部を引っ張ると追従して薄肉部が剥離することでカバーから嵌合部を分離させることを特徴とするカバー。
【発明の詳細な説明】
【技術分野】
【０００１】
本発明は、本体に装着し該本体に設けた付属部を覆うカバーを取外す手段とそれを備えたカバーに係り、不正に付属部を操作できない構造としたカバーの取外手段とそれを備えたカバーに関する。
【背景技術】
【０００２】
従来の本体に設けた付属部を覆うカバーは、付属部の保護や付属部品の脱落防止が目的であり、着脱自在であることが一般的であった。
【特許文献１】なし
【発明の開示】
【発明が解決しようとする課題】
【０００３】
しかしながら、従来のカバーは着脱自在であるために、カバーを取外すことは容易であり、不正に付属部を操作することが可能であるという問題があった。そこで、装着後は取外すことができない構造のカバーとすることも考えられるが、メンテナンス性が悪くなるという問題があった。
【０００４】
そこで本発明のカバーの取外手段とそれを備えたカバーは上記の問題を解決可能なカバーの取外手段とそれを備えたカバーを提供することを目的とする。
【課題を解決するための手段】
【０００５】
本発明は上記目的を達成するために、
〔１〕本体に装着し該本体に設けた付属部を覆うカバーにおいて、カバーを取外す手段であって、カバーに設けた嵌合爪と本体に設けた嵌合孔により、カバーは本体と嵌合して装着され、その嵌合部を嵌合した状態でカバーから分離することにより取外すことが可能となることを特徴とする。
〔２〕上記〔１〕記載の取外手段において、本体はスイッチであるとともに、本体に設けた付属部はコネクタ接続部であることを特徴とする。
〔３〕上記〔１〕または〔２〕記載の取外手段を備えたことを特徴とする。
〔４〕上記〔３〕記載のカバーにおいて、前記カバーは一方が開口した略筒状であって、底面の内側に嵌合爪を形成するとともに、底面にスリット及び結合部を形成することにより嵌合爪を備えた嵌合部を形設したことを特徴とする。
〔５〕上記〔４〕記載のカバーにおいて、嵌合部を押さえながら胴体部を抜脱方向に移動させ、底面に形成した結合部を切断することで、嵌合部をカバーからを分離させることを特徴とする。
〔６〕上記〔３〕記載のカバーにおいて、前記カバーは一方が開口した略筒状であって、スリットを形成した底面の内側に嵌合爪を形成するとともに、底面外側のスリット上に爪部を形成することにより嵌合爪を備えた嵌合部を形設し、爪部を倒すことでカバーから嵌合部を分離させることを特徴とする。
〔７〕上記〔３〕記載のカバーにおいて、前記カバーは一方が開口した略筒状であって、略円形状の薄肉部を形成した底面の内側に嵌合爪を形成するとともに、底面外側の薄肉部上に突起部を形成することにより嵌合爪を備えた嵌合部を形設し、突起部を引っ張ると追従して薄肉部が剥離することでカバーから嵌合部を分離させることを特徴とする。
【発明の効果】
【０００６】
本発明によれば、次のような効果を奏することができる。
（１）カバー装着後は、本体の付属部を操作することができない。
（２）本体に容易に装着が可能であるが、嵌合部をカバーから分離しないかぎり取外すことができない。
（３）嵌合部をカバーから分離することで、カバーを取外した痕跡を残すことができる。
（４）工具を使用しなくても、容易に取外しができる。
（５）爪部を設けることで、さらに容易に取外しができる。
（６）多数の爪部を設けることで、誤って数個の爪部を折ってしまってもカバーを取外すことができず、意図的に折った場合との判別ができる。
（７）薄肉部を剥離する構造とすることで、意図的に作業しないかぎりカバーを取外すことができない。
【発明を実施するための最良の形態】
【０００７】
本発明は、本体に装着し該本体に設けた付属部を覆うカバーにおいて、カバーを取外す手段であって、カバーに設けた嵌合爪と本体に設けた嵌合孔により、カバーは本体と嵌合して装着され、その嵌合部を嵌合した状態でカバーから分離することにより取外すことが可能となる。よって、装着後は付属部を操作することができず、着脱が容易でありながら、取外すにはカバーの嵌合部を分離しなければならないため、不正に付属部を操作したときには痕跡が残る不正防止機構を具備することが可能となる。
【実施例】
【０００８】
以下、本発明の実施例について、図面を参照しながら詳細に説明する。
【０００９】
図１は本発明の第一実施例を表すカバーの斜視図、図２はそのカバーであり、、図２（ａ）はそのカバーの平面図を、図２（ｂ）はそのカバーの側面図を、図２（ｃ）はそのカバーの底面図を、図２（ｄ）はそのカバーのＡ−Ａ断面図を示している。図３は本発明の第一実施例を表すカバーをスイッチに装着時の斜視図、図４は本発明の第一実施例を表すカバーをスイッチに装着時の要部断面図、図５は本発明の第一実施例を表すカバーの取外し時の要部断面図であり、図５（ａ）は取外し前を、図５（ｂ）は取外し後を示している。図６は本発明の第二実施例を表すカバーの斜視図、図７は本発明の第三実施例を表すカバーの斜視図を示している。図８は本発明の第四実施例を表すカバーであり、図８（ａ）はそのカバーの斜視図を、図８（ｂ）はそのカバーの底面図を、図８（ｃ）はそのカバーのＢ−Ｂ断面図を示している。
【００１０】
図１から図５において、１は略筒状の胴体部、２は嵌合部、３は底面に形成した略半円形のスリット、４は底面に嵌合部２を結合している結合部、５はスイッチ本体１１に設けられた嵌合孔１２と嵌合する嵌合爪、６はスイッチ本体１１に設けられたコネクタ接続部１３を収納する収納部、１０は上記したハウジング１及び底面部２からなるカバーであり、１１はカバー１０を装着するスイッチ本体である。
【００１１】
以上のことから、スイッチ本体１１にカバー１０を被せて押込むと、スイッチ本体１１に設けられた嵌合孔１２にカバー１０の嵌合爪５が嵌合し、図３に示すようにスイッチ本体１１にカバー１０が装着され、図４に示すようにコネクタ接続部１３は収納部６に収納される。
【００１２】
以上のように構成された、本発明のカバーは、スイッチ本体１１に設けられた嵌合孔１２に嵌合爪５を嵌合することで装着され、装着後はコネクタを抜き差しすることができない。そして、図５に示すように嵌合部２を押さえ胴体部１を抜脱方向へ移動させ底面に形成された結合部４を切断することにより嵌合部２をカバー１０から分離することで取外しが可能となる。
【００１３】
このように、本実施例に示すカバーは、嵌合部２をカバー１０から分離させなければ取外しができない構成としたという特徴を有している。
【００１４】
さらに、嵌合部２をカバー１０から分離させなければ取外しができない構成としたことにより、カバー１０を取外したときにはその痕跡を残すことができるため、カバー１０を不正に取外すことができないという特徴を有している。
【００１５】
本実施例ではカバー１０の形状を略円筒状としているが、本体の形状に合わせて他の形状としてもよく、また、取外手段として嵌合部２を押さえ胴体部１を抜脱方向へ移動させ嵌合部２に形成された結合部４を切断するとしているが、嵌合部２の外側にツマミを設けて該ツマミを押さえながら胴体部１を回転させることで結合部４を切断してもよく、種々の方法が考えられる。
【００１６】
図６は本発明の第二実施例を示す底面外側のスリット３上に爪部７を設けたカバーの図である。この実施例では爪部７を倒すことでカバー１０から嵌合部２を分離することができるため、より容易にカバーを取外すことができる。
【００１７】
図７は本発明の第三実施例を示す底面外側のスリット３上に複数の爪部７を設けたカバーの図である。第二実施例で示したように爪部７を設けたことでより容易にカバーを取外すことができるが、誤って爪部７を倒してしまい意図せずにカバーが外れてしまう可能性が生じる。そこで、この実施例では複数の爪部７を設けたことにより、誤って爪部７を倒してしまっても少なくとも１箇所以上の爪部７が倒れなければ、嵌合部２は分離しないため、カバーが誤って外れてしまうことを防ぐことができる。
【００１８】
図８は本発明の第四実施例を示す底面に略円形状の薄肉部８を形成するとともに底面外側の薄肉部８上に突起部９を設けたカバーの図である。この実施例では突起部９を引っ張ると追従して薄肉部８が剥離してカバー１０から嵌合部２を分離する構成としているため、意図的でないとカバーが取外しできない。
【００１９】
なお、本発明は上記の実施例に限定されるものではなく、本発明の趣旨に基づき種々の変形が可能であり、これらを本発明の範囲から排除するものではない。
【産業上の利用可能性】
【００２０】
本発明のカバーの取外手段とそれを備えたカバーは、カバーを取外した場合には痕跡を残すことができる取外手段とそれを備えたカバーであり不正防止カバーとして利用可能である。
【図面の簡単な説明】
【００２１】
【図１】本発明の第一実施例を表すカバーの斜視図である。
【図２】本発明の第一実施例を表すカバーの図である。
【図３】本発明の第一実施例を表すカバーのスイッチに装着時の斜視図である。
【図４】本発明の第一実施例を表すカバーのスイッチに装着時の要部断面図である。
【図５】本発明の第一実施例を表すカバーの取外し時の要部断面図である。
【図６】本発明の第二実施例を表すカバーの斜視図である。
【図７】本発明の第三実施例を表すカバーの斜視図である。
【図８】本発明の第四実施例を表すカバーの図である。
【符号の説明】
【００２２】
１    胴体部
２    嵌合部
３    スリット
４    結合部
５    嵌合爪
６    収納部
７    爪部
８    薄肉部
９    突起部
１０  カバー
１１  スイッチ本体
１２  嵌合孔
１３  コネクタ接続部
１４  リード線
【図１】
0004827147.tif 000002
【図２】
0004827147.tif 000003
【図３】
0004827147.tif 000004
【図４】
0004827147.tif 000005
【図５】
0004827147.tif 000006
【図６】
0004827147.tif 000007
【図７】
0004827147.tif 000008
【図８】
0004827147.tif 000009